(57)【要約】【課題】スライドによる開放動作の際に生じるタッチセンサからの誤入力を防止することができる携帯端末装置を提供する。【解決手段】本発明の携帯電話機は、第１キャビネット１と、第１キャビネット１の上面に沿ってスライド可能な第２キャビネット２と、前記上面に触れることで入力可能な第１タッチセンサ３６と、第２キャビネット２から前記上面に向かって突出する突起２３と、前記上面に対する突起２３の接触位置を検出する第２タッチセンサ３７と、第２タッチセンサ３７からの出力に基づいて第１タッチセンサ３６による入力を制御するＣＰＵ１００とを備える。ＣＰＵ１００は、第２キャビネット２が第１タッチセンサ３６の検出領域が外部に開放する第１の位置（ＯＰ位置）にあるときに第１タッチセンサ３６による入力を有効とし、第１の位置（ＯＰ位置）から外れたときに入力を無効とする。【選択図】図４
2010011085.tif 000002
【特許請求の範囲】
【請求項１】
第１の筐体と、
前記第１の筐体の一つの面に沿ってスライド可能な第２の筐体と、
前記面に対する入力を受け付ける第１のタッチセンサと、
前記第２の筐体から前記面に向かって突出する突出部と、
前記突出部の位置を検出する検出部と、
前記検出部からの出力に基づいて前記第１のタッチセンサによる入力を制御する制御部とを備え、
前記制御部は、前記第２の筐体が前記第１のタッチセンサの検出領域を外部に露出させる第１の位置にあるときに前記第１のタッチセンサによる入力を有効とし、前記第２の筐体が前記第１の位置から外れたときに前記第１のタッチセンサによる入力を無効とする、
ことを特徴とする携帯端末装置。
【請求項２】
請求項１において、
前記突出部は、第２の筐体のスライドに伴って前記面に接触しながら移動し、
前記検出部は、前記面に対する前記突出部の接触位置を検出する、
ことを特徴とする携帯端末装置。
【請求項３】
請求項２において、
前記検出部は、前記面に対する入力を受け付ける第２のタッチセンサを有する、
ことを特徴とする携帯端末装置。
【請求項４】
請求項１ないし３の何れか一項において、
前記面には、複数の操作ボタンが配され、
前記制御部は、前記第２の筐体が前記第１の位置から外れた位置にあるときに、前記操作ボタンによる入力を有効とする、
ことを特徴とする携帯端末装置。
【請求項５】
請求項４において、
前記検出部は、前記第２の筐体が前記第１の位置から外れ、且つ、前記複数の操作ボタンの一部を覆う第２の位置にあることを検出し、
前記制御部は、前記第２の筐体が前記第２の位置にあるときに、前記操作ボタンに前記第２の位置に応じた機能を設定する、
ことを特徴とする携帯端末装置。
【請求項６】
請求項４または５において、
前記第２の筐体には、当該第２の筐体の一つの面から画像を出力する表示部と、前記画像を透過可能な入力部とが配され、
前記検出部は、前記第２の筐体が前記第１の位置から外れる方向に最も移動した第３の位置にあることを検出し、
前記制御部は、前記第２の筐体が前記第３の位置にあるときに、前記入力部による入力を有効とする、
ことを特徴とする携帯端末装置。
【発明の詳細な説明】
【技術分野】
【０００１】
本発明は、携帯電話機やＰＤＡ（Personal Digital Assistant）等の携帯端末装置に関するものである。
【背景技術】
【０００２】
従来、いわゆるスライド式の携帯電話機が知られている（特許文献１）。スライド式携帯電話機は、複数の操作ボタンを有する第１の筺体の上面に、モニタ画面を有する第２の筺体がスライド可能に配される。そして、２つの筺体が重なった状態（閉じた状態）から第２の筺体がスライドすることによって、第１の筺体の操作ボタンが外部に露出される。
【０００３】
一方、近年、操作ボタンの配置領域にタッチセンサ(接触センサ)を配し、タッチセンサの検出領域内で手書された文字などを、タッチセンサから入力される位置情報に基づいて認識することにより、操作ボタンによる入力のみならず、手書き入力をも可能とした携帯電話機が開発されている（特許文献２）。このように、手書き入力をも可能とすることにより、ユーザの操作性を一層向上させることができる。
【０００４】
このような手書き入力機能は、上記スライド式携帯電話機にも搭載することができる。
【特許文献１】特開２００７−２８４１７号公報
【特許文献２】特開２００７−６６１６９号公報
【発明の開示】
【発明が解決しようとする課題】
【０００５】
スライド式携帯電話機において、第１の筺体にタッチセンサが搭載された場合、通常、第２の筺体の開放が検出されたときに、タッチセンサがアクティブな状態とされる。
【０００６】
上記開閉検出は、たとえば、磁石とＭＲセンサ(磁気抵抗素子センサ)とにより行われる。即ち、２つの筺体の一方に磁石、他方にＭＲセンサが配され、２つの筺体が閉じた状態のとき、磁石とＭＲセンサが接近するような構成とされる。この場合、２つの筺体が閉じた状態から第２の筺体がスライドし始めると、開放されたと検出され、タッチセンサがアクティブな状態とされる。
【０００７】
ところで、開放動作の際、第２の筺体は、その背面がタッチセンサの検出面に接近した状態でスライドすることになる。このとき、製造誤差等により筺体背面にわずかな歪み等が生じていると、スライド時に筺体背面の一部がタッチセンサの検出面に触れるようなことが起こり得る。
【０００８】
よって、上記のように、スライド時にタッチセンサがアクティブな状態となる場合には、筺体背面の一部がタッチセンサの検出面に触れることで、タッチセンサから誤った入力が行われてしまう惧れがある。
【０００９】
本発明は、このような課題を解消するためになされたものであり、スライドによる開放動作の際に生じるタッチセンサからの誤入力を防止することができる携帯端末装置を提供することを目的とする。
【課題を解決するための手段】
【００１０】
本発明の携帯端末装置は、第１の筐体と、前記第１の筐体の一つの面に沿ってスライド可能な第２の筐体と、前記面に対する入力を受け付ける第１のタッチセンサと、前記第２の筐体から前記面に向かって突出する突出部と、前記突出部の位置を検出する検出部と、前記検出部からの出力に基づいて前記第１のタッチセンサによる入力を制御する制御部とを備え、前記制御部は、前記第２の筐体が前記第１のタッチセンサの検出領域を外部に露出させる第１の位置にあるときに前記第１のタッチセンサによる入力を有効とし、前記第２の筐体が前記第１の位置から外れたときに前記第１のタッチセンサによる入力を無効とすることを特徴とする。
【００１１】
たとえば、前記突出部は、第２の筐体のスライドに伴って前記面に接触しながら移動し、前記検出部は、前記面に対する前記突出部の接触位置を検出するような構成とすることができる。また、たとえば、前記検出部は、前記面に対する入力を受け付ける第２のタッチセンサを有するような構成とすることができる。
【００１２】
なお、上記「第１のタッチセンサによる入力を無効とする」とは、第１のタッチセンサからの検出信号を制御部が受け付けないようにすることによって入力を無効とする手法と、第１のタッチセンサを停止状態とすることで、第１のタッチセンサから検出信号が出力されないようにすることによって入力を無効にする手法とを含む概念である。
【００１３】
上記の構成によれば、第２の筐体が第１のタッチセンサの検出領域を外部に露出させる第１の位置にあるときに第１のタッチセンサによる入力が有効とされ、第２の筐体が第１の位置から外れたときに第１のタッチセンサによる入力が無効とされるため、第２の筺体が第１のタッチセンサの検出領域の上をスライドしている間は第１のタッチセンサからの入力が無効となる。したがって、スライド時に、第２の筺体の一部が誤って第１のタッチセンサの検出領域に触れても、誤入力を防止することができる。
【００１４】
さらに、本発明の携帯端末装置においては、前記面には、複数の操作ボタンが配され、前記制御部は、前記第２の筐体が前記第１の位置から外れた位置にあるときに、前記操作ボタンによる入力を有効とするような構成とすることができる。
【００１５】
このような構成とすれば、第２の筺体が第１の位置から外れ、第１のタッチセンサによる入力が無効となったときに、操作ボタンによって入力操作を行うことができる。よって、ユーザの使い勝手が向上する。
【００１６】
さらに、本発明の携帯端末装置においては、前記検出部は、前記第２の筐体が前記第１の位置から外れ、且つ、前記複数の操作ボタンの一部を覆う第２の位置にあることを検出し、前記制御部は、前記第２の筐体が前記第２の位置にあるときに、前記操作ボタンに前記第２の位置に応じた機能を設定するような構成とすることができる。
【００１７】
このような構成とすれば、操作ボタンの一部が覆われた状態にあるときに、外部に露出された操作ボタンを用いて円滑な入力操作を行うことができる。
【００１８】
さらに、本発明の携帯端末装置においては、前記第２の筐体には、当該第２の筐体の一つの面から画像を出力する表示部と、前記画像を透過可能な入力部とが配され、前記検出部は、前記第２の筐体が前記第１の位置から外れる方向に最も移動した第３の位置にあることを検出し、前記制御部は、前記第２の筐体が前記第３の位置にあるときに、前記入力部による入力を有効とするような構成とすることができる。
【００１９】
このような構成とすれば、第２の筺体が閉じて、第１のタッチセンサや操作ボタンによる入力が十分に行えない状態となっても、入力部により入力操作が行えるため、ユーザの使い勝手が一層良くなる。
【発明の効果】
【００２０】
以上のとおり、本発明によれば、第２の筺体がスライドにより開放される際、第１の筺体に設けられた第１のタッチセンサから誤入力がなされるのを防止することができる。
【００２１】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【発明を実施するための最良の形態】
【００２２】
以下、本発明の実施の形態につき図面を参照して説明する。図１は携帯電話機の外観構成を示す図であり、同図（ａ）は、第２キャビネットが開放した状態の携帯電話機の正面図、同図（ｂ）は同じ状態での側面図である。同図（ｃ）は同図（ｂ）のＡ−Ａ´断面図である。
【００２３】
携帯電話機は、第１キャビネット１と第２キャビネット２を備えている。第１キャビネット１には、キー入力・開閉検出部３(以下、単に「キー入力部」という)が配されている。キー入力部３は、機器への各種入力を検出するとともに、第１キャビネット１に対する第２キャビネット２の開閉状態を検出する。
【００２４】
第１キャビネット１の上面には、キー入力部３を構成する操作キー群３ａが配されている。操作キー群３ａは、４個のメインキー３１と、方向キー３２と、決定キー３３と、１２個のテンキー３４によって構成されている。
【００２５】
メインキー３１は、各種の機能モード（カメラ撮影モード、メール送受信モード、インターネットモードなど）の切替えを行うためのキーや電話による通話開始、終了を行うためのキーである。方向キー３２は、表示画面に表示された各種メニューから所望のメニューを選択する際に操作されるキーであり、決定キー３３は選択されたメニューの決定等を行うためのキーである。テンキー３４は、文字、アルファベット、数字などの入力を行うためのキーである。
【００２６】
第２キャビネット２には液晶表示器２１が配されている。液晶表示器２１の表示画面側には、第３タッチセンサ２２が配されている。第３タッチセンサ２２は透明なシート状を有しており、第３タッチセンサ２２を透して液晶表示器２１の表示画面を見ることができる。
【００２７】
第３タッチセンサ２２は、マトリクス状に配された第１透明電極と第２透明電極とを備え、これら透明電極間の静電容量の変化を検出することによって、ユーザに触られた表示画面上の位置を検出し、その位置に応じた位置信号を出力する。
【００２８】
第２キャビネット２は、スライド機構部４によって、第１キャビネット１に対し図１のＸ軸方向にスライド可能に連結されている。図１（ｃ）に示すように、スライド機構４は、ガイド板４１とガイド溝４２によって構成されている。ガイド板４１は、第２キャビネット２の背面の左右両端部に設けられており、その下端に突条４１ａを有する。ガイド溝４２は、第１キャビネット１の側面に、スライド方向（図１のＸ軸方向）に沿って形成されている。ガイド板４１の突条４１ａは、ガイド溝４２に係合されている。なお、第１キャビネット１と第２キャビネット２とが連結された状態において、第１キャビネット１の上面と第２キャビネット２の背面の間には僅かに隙間が形成されている。
【００２９】
携帯電話機を閉じた状態では、図１（ｂ）に一点鎖線で示すように、第２キャビネット２が第１キャビネット１の上に略完全に重なっている。この状態（閉じた状態）では、第２キャビネット２の背後に操作キー群３ａの全てのキーが隠れた状態となる。第２キャビネット２は、ガイド板４１がガイド溝４２の終端位置に達するまでスライドする（開いた状態とする）ことができる。第２キャビネット２が完全に開くと、図１（ａ）に示すように、操作キー群３ａの全てのキーが外部に露出する。
【００３０】
図２は、キー入力部の構成を示す図である。図２（ａ）は、第１キャビネットを分解した状態（上蓋側のキャビネットを省略）の正面図、図２（ｂ）は、キーパッドの背面図である。
【００３１】
キー入力部３は、上記操作キー群３ａ（メインキー３１、方向キー３２、決定キー３３、テンキー３４）の他、キーパッド３５と、第１タッチセンサ３６と、第２タッチセンサ３７と、回路基板３８を備えている。
【００３２】
操作キー群３ａは、キーパット３５の上面に接着等により固定されている。キーパッド３５はゴム等の弾性材料からなり、その背面には、図２（ｂ）に示すように、メインキー３１に対応する４個の押圧部３５ａと、方向キー３２に対応する４個の押圧部３５ｂと、決定キー３３に対応する１個の押圧部３５ｃと、テンキー３４に対応する１２個の押圧部３５ｄが後方（回路基板３８側）に突出するように形成されている。
【００３３】
第１タッチセンサ３６は、シート状に形成され、テンキー３４の配置領域に対応する大きさを有する。第１タッチセンサ３６には、キーパッド３５背面の押圧部３５ｄが挿入される１２個のキー孔３６ａが形成されている。
【００３４】
第１タッチセンサ３６は、マトリクス状に配された第１電極と第２電極とを備え、これら電極間の静電容量の変化を検出することによって、ユーザによって触れられた検出領域内の位置を検出し、その位置に応じた位置信号を出力する。
【００３５】
第２タッチセンサ３７は、図２のＸ軸方向に細長いシート状に形成されている。第２タッチセンサ３７のＸ軸方向の長さは、第２キャビネット２のスライドストロークに対応したものとされている。
【００３６】
第２タッチセンサ３７は、第１タッチセンサ３６と同様の構造を有し、第２キャビネット２の突起（後述する）によって触れられた検出領域内の位置を検出し、その位置に応じた位置信号を出力する。第２タッチセンサ３７には、上端、下端の位置に、それぞれ開放領域ＯＰと閉塞領域ＣＬが設定されている。
【００３７】
回路基板３８には、その上面に、押圧部３５ａ、３５ｂ、３５ｃ、３５ｄに対応して、それぞれ、メタルドーム（金属接点）３８ａ、３８ｂ、３８ｃ、３８ｄが配されている。
【００３８】
図３は、キー入力部がアセンブルされた状態を示す図である。同図（ａ）は、第２キャビネットが閉じられた状態において、図１（ａ）のＰ方向から見た携帯電話機の側面図である。この図においては、第１キャビネットのみがテンキーの位置で切断され、その内部構造が示されている。同図（ｂ）は、同じく、図１（ａ）のＱ方向から見た携帯電話機のテンキー側の端部の側面図である。この図においては、第１キャビネットのみが第２タッチセンサの位置で切断され、その内部構造が示されている。
【００３９】
第１タッチセンサ３６は、メタルドーム３８ｄがキー孔３６ａから臨むように、回路基板３８上に配され、第２タッチセンサ３７は、回路基板３８の一端部に沿うように回路基板３８上に配される。そして、これら第１タッチセンサ３６および第２タッチセンサ３７を覆うようにして、操作キー群３ａが一体化されたキーパッド３５が配される。このとき、押圧部３５ｄは、キー孔３６ａ内に挿入される。
【００４０】
ユーザによってテンキー３４が押されると、キーパッド３５の押された部分が弾性変形して押圧部３５ｄが下方に動き、押圧部３５ｄによってメタルドーム３８ｄが押される。これにより、テンキー３４が押されたことが検出される。メインキー３１、方向キー３２、決定キー３３についても同様である。
【００４１】
また、第１キャビネット１の上面において、第１タッチセンサ３６による検出領域（テンキー３４を含む）が、ユーザの指などで触られると、上述のように、静電容量の変化に基づいてその位置が検出される。
【００４２】
第２キャビネット２の背面下部には、第１キャビネット１に向けて突出し、第１キャビネット１の上面に接触する突起２３が形成されている。突起２３は、Ｚ軸方向において、第２タッチセンサ３７の真上の位置になるように形成されている。
【００４３】
図４は、第２キャビネットが開閉したときの突起と第２タッチセンサとの位置関係について説明するための図である。説明の便宜上、第２タッチセンサ３７が透視された図としている。
【００４４】
第２キャビネット２が完全に閉じた状態にあるときには、同図（ａ）に示すように、突起２３は、第２タッチセンサ３７の閉塞領域ＣＬ上に位置する。このときには、第２タッチセンサ３７によって、突起２３が閉塞領域ＣＬにあることが検出される。この状態から、第２キャビネット２がスライド操作されると、突起２３は、第１キャビネット１の上面に接触しながら、第２タッチセンサ３７による検出領域内を移動する。そして、第２キャビネット２が最後までスライドされ、完全に開いた状態になると、同図（ｂ）に示すように、突起２３は、第２タッチセンサ３７の開放領域ＯＰ上に位置する。このときは、第２タッチセンサ３７によって、突起２３が開放領域ＯＰにあることが検出される。
【００４５】
このようにして、突起２３が閉塞領域ＣＬにあるか開放領域ＯＰにあるかを第２タッチセンサ３７によって検出することで、第２キャビネット２の開閉を検出することができる。
【００４６】
図５は、携帯電話機の全体構成を示すブロック図である。本実施の形態の携帯電話機は、上述した各構成要素の他、ＣＰＵ１００、カメラモジュール１０１、映像エンコーダ１０２、マイク１０３、音声エンコーダ１０４、キー入力回路１０５、通信モジュール１０６、メモリ１０７、バックライト駆動回路１０８、映像デコーダ１０９、音声デコーダ１１０、スピーカ１１１を備えている。
【００４７】
カメラモジュール１０１は、ＣＣＤ等の撮像素子を有し、取り込んだ画像に応じた撮像信号を生成し、映像エンコーダ１０２へ出力する。映像エンコーダ１０２は、カメラモジュール１０１からの撮像信号を、ＣＰＵ１００が処理できるディジタルの撮像信号に変換してＣＰＵ１００へ出力する。
【００４８】
マイク１０３は、音声信号を電気信号に変換して音声エンコーダ１０４へ出力する。音声エンコーダ１０４は、マイク１０３からの音声信号を、ＣＰＵ１００が処理できるディジタルの音声信号に変換してＣＰＵ１００へ出力する。
【００４９】
キー入力回路１０５は、上記メタルドーム３８ａ〜３８ｄを含み、操作キー群３ａの各キーが押されると、各キーに応じた入力信号をＣＰＵ１００へ出力する。
【００５０】
通信モジュール１０６は、ＣＰＵ１００からの音声信号や画像信号、テキスト信号などを無線信号に変換し、アンテナ１０６ａを介して基地局へ送信する。また、アンテナ１０６ａを介して受信した無線信号を音声信号や画像信号、テキスト信号などに変換してＣＰＵ１００へ出力する。
【００５１】
メモリ１０７は、ＲＯＭおよびＲＡＭを含む。メモリ１０７には、ＣＰＵ１００に制御機能を付与するための制御プログラムが記憶されている。また、メモリ１０７には、カメラモジュール１０１で撮影した画像データや通信モジュール１０６を介して外部から取り込んだ画像データ、テキストデータ（メールデータ）などが所定のファイル形式で保存される。
【００５２】
液晶表示器２１は、液晶パネル２１ａと、液晶パネル２１ａに光を供給するバックライト２１ｂとを備えている。バックライト駆動回路１０８は、ＣＰＵ１００からの制御信号に応じた電圧信号をバックライト２１ｂに供給する。映像デコーダ１０９は、ＣＰＵ１００からの映像信号を液晶パネル２１ａで表示できるアナログの映像信号に変換し、液晶パネル２１ａに出力する。
【００５３】
音声デコーダ１１０は、ＣＰＵ１００からの音声信号をスピーカ１１１で出力できるアナログの音声信号に変換し、スピーカ１１１に出力する。スピーカ１１１は、音声デコーダ１１０からの音声信号を音声として再生する。
【００５４】
ＣＰＵ１００は、カメラモジュール１０１、マイク１０３、キー入力回路１０５など各部からの入力信号に基づいて、通信モジュール１０６、映像デコーダ１０９、音声デコーダ１１０などの各部に制御信号を出力することにより、通話処理や各種の機能モードの処理を行う。
【００５５】
さて、本実施の形態の携帯電話機は、機器への入力操作を行うための入力モードとして、操作キー群３ａのみによって入力操作を行うことができるキー入力モードの他に、ユーザが、第１タッチセンサ３６の検出領域で手書き入力操作を行うことができる手書き入力モードを備えている。
【００５６】
そして、この携帯電話機では、手書き入力モードが設定されている場合において、第２キャビネット２が開閉された際に、第１タッチセンサ３６による誤入力が生じないよう、第２キャビネット２の開閉に基づく入力設定処理が行われる。この入力設定処理は、携帯電話機が稼働している間、常時繰り返される。以下、この入力設定処理について、図６のフローチャートに従って説明する。
【００５７】
処理が開始されると、ＣＰＵ１００は、第２タッチセンサ３７による入力が有効となる状態（ＯＮ状態）にし（Ｓ１０１）、突起２３が移動したか否かを判定する（Ｓ１０２）。突起２３の位置が変化すれば、突起２３が移動したと判定することができる。
【００５８】
ＣＰＵ１００は、突起２３が移動したと判定すると（Ｓ１０２：ＹＥＳ）、突起２３が開放領域ＯＰに位置しているか否かを判定する（Ｓ１０３）。
【００５９】
上記図４（ｂ）に示すように、第２キャビネット２が完全に開放された場合には、突起２３は開放領域ＯＰに位置するので、ＣＰＵ１００は、突起２３が開放領域ＯＰに位置していると判定し（Ｓ１０３：ＹＥＳ）、第１タッチセンサ３６による入力を有効状態（ＯＮ状態）に設定する（Ｓ１０４）。第１タッチセンサ３６による入力が有効状態に設定された場合には、第１タッチセンサ３６からの位置信号がＣＰＵ１００によって受け付けられる状態となる。
【００６０】
図７は、第２キャビネットが完全に開放された状態で行われる手書き入力操作の一例を示す図である。
【００６１】
同図（ａ）に示すように、ユーザが、第１タッチセンサ３６の検出領域内において、第１キャビネット２の上面に触れながら指で文字を描くと、その軌跡に基づいて文字が認識され、表示画面上に設定されたボックス内に認識された文字が大きく表示される。そして、その後、ボックス内での文字表示が消え、同図（ｂ）に示すように、表示画面上の所定の文章入力位置に認識された文字が表示される。
【００６２】
図６に戻り、第２キャビネット２が完全に開放されていない場合には、突起２３は開放領域ＯＰを外れたところに位置する。これにより、ステップＳ１０３において、ＣＰＵ１００は、突起２３が開放領域ＯＰに位置していないと判定すると（Ｓ１０３：ＮＯ）、第１タッチセンサ３６による入力を無効状態（ＯＦＦ状態）に設定する（Ｓ１０５）。なお、もともと第１タッチセンサ３６による入力が無効状態であれば、その状態が維持されることになる。第１タッチセンサ３６による入力が無効状態に設定された場合には、第１タッチセンサ３６からの位置信号がＣＰＵ１００によって受け付けられない状態となる。
【００６３】
このように、第２キャビネット２がスライド操作されて、第２キャビネット２が第１タッチセンサ３６の検出領域上にある状態では、第１タッチセンサ３６による入力が有効となることがない。このため、製造誤差等によって第２キャビネット２の背面が歪むなどし、スライド時に背面の一部が第１キャビネット１の上面に接触するようなことが生じても、第１タッチセンサ３６による誤入力が防止される。
【００６４】
以上、本実施の形態によれば、第１タッチセンサ３６を用いた手書き入力が行えるので、ユーザによる操作性が向上する。また、第２キャビネット２のスライド動作時における第１タッチセンサ３６への誤入力が防止されるので、第１タッチセンサ３６を用いた入力操作の信頼性を高めることができる。
【００６５】
また、本実施の形態によれば、第２キャビネット２の開閉を検出するための構成として、第２キャビネット２側には突起２３を形成するだけでよく、磁石とＭＲセンサを用いる従来の構成に比べ、部品点数の削減とコストの低減を図ることができる。さらに、第２キャビネット２内に、磁石やＭＲセンサ等の構成部品を配するスペースが不要となるため、第２キャビネット２の薄型化が可能となる。
【００６６】
以上、本発明の実施形態について説明したが、本発明は本実施の形態に限定されるものではなく、また、本実施の形態は、以下のように変更することもできる。
【００６７】
＜変更例１＞
図８は、変更例１に係る第２キャビネットの開閉に基づく入力設定処理を示すフローチャートである。
【００６８】
変更例１では、突起２３が開放領域ＯＰの位置から外れた場合に、第１タッチセンサ３６による手書き入力操作に代えて、テンキー３４による入力操作が可能となる点が上記実施の形態と相違する。以下、図８に従って具体的な動作を説明する。なお、この入力設定処理も、上記実施の形態と同様、携帯電話機が稼働している間、常時繰り返される。
【００６９】
処理が開始されると、ＣＰＵ１００は、第２タッチセンサ３７による入力を有効状態にし（Ｓ２０１）、突起２３が移動したか否かを判定する（Ｓ２０２）。ＣＰＵ１００は、突起２３が移動したと判定すると（Ｓ２０２：ＹＥＳ）、突起２３が開放領域ＯＰに位置しているか否かを判定する（Ｓ２０３）。
【００７０】
第２キャビネット２が完全に開放されることにより、突起２３が開放領域ＯＰに位置していれば、ＣＰＵ１００は、突起２３が開放領域ＯＰに位置している判定し（Ｓ２０３：ＹＥＳ）、第１タッチセンサ３６による入力を有効状態に設定するとともに、テンキー３４による入力を無効状態（ＯＦＦ状態）に設定する（Ｓ２０４）。こうして、第１タッチセンサ３６を用いた手書き入力が行える状態となる。
【００７１】
なお、テンキー３４による入力が無効状態に設定された場合には、テンキー３４からの入力信号がＣＰＵ１００によって受け付けられない状態となる。
【００７２】
一方、ステップＳ２０３において、ＣＰＵ１００は、突起２３が開放領域ＯＰに位置していないと判定すると（Ｓ２０３：ＮＯ）、次に、突起２３が閉塞領域ＣＬに位置しているか否かを判定する（Ｓ２０５）。ＣＰＵ１００は、突起２３が閉塞位置ＣＬに位置していないと判定すると（Ｓ２０５：ＮＯ）、第１タッチセンサ３６による入力を無効状態に設定するとともに、テンキー３４による入力を有効状態（ＯＮ状態）に設定する（Ｓ２０６）。テンキー３４による入力が有効状態に設定された場合には、テンキー３４からの入力信号がＣＰＵ１００によって受け付けられる状態となる。
【００７３】
こうして、第１タッチセンサ３６による手書き入力に代わって、テンキー３４による入力が行える状態となる。
【００７４】
ユーザが、たとえば、第２キャビネット２を完全に開いた状態で手書き入力をしていたが、途中でテンキー３４による入力に変えたくなったとき、第２キャビネット２を、テンキー３４の上にかからない程度まで閉じれば、テンキー３４による入力に切り替わるため、その後、テンキー３４を用いて入力することが可能となる。
【００７５】
第２キャビネット２が完全に閉じられることにより、Ｓ２０５において、ＣＰＵ１００は、突起２３が閉塞位置ＣＬにあると判定すると、第１タッチセンサ３６による入力を無効状態に設定するとともにテンキー１４による入力を無効状態に設定する（Ｓ２０７）。
【００７６】
以上のように、変更例１の構成とすれば、ユーザは、必要に応じて、容易に入力方法を切り替えることができ、ユーザの使い勝手が向上する。
【００７７】
なお、上記変更例１の構成では、第２キャビネット２が完全に閉じてテンキー３４が全て第２キャビネット２で覆われない限り、テンキー３４の入力ができるよう構成されているが、第２キャビネット２がテンキー３４の一部を覆うような位置になったことを第２タッチセンサ３７により検出すると、テンキー３４による入力を無効状態に設定し、テンキー３４が受け付けられなくなるような構成とすることもできる。この場合、テンキー３４の一部が覆われるまで第２キャビネット２を閉じすぎてしまうと、キー入力ができなくなるので、テンキー３４が全て外部に開放された適正な状態での使用を、ユーザに促すことができる。
【００７８】
＜変更例２＞
図９は、変更例２に係る携帯電話機の使用形態を説明する図である。同図（ａ）、（ｂ）、（ｃ）は、それぞれ、第２キャビネット２をノーマルモード、テレビモード、ラジオモードの位置まで閉じた状態を示し、同図（ｄ）は、第２キャビネット２を完全に閉じた状態を示す。
【００７９】
変更例２では、第２キャビネット２が閉じられる度合い、即ち、操作キー群３ａの各キーの外部への開放状況に応じて各キーの機能設定がなされる点、および、第２キャビネット２が完全に閉じられた状態でも、第２キャビネット２の表示画面上で入力操作が行えるようにした点が上記実施の形態、および変更例１と相違する。
【００８０】
図９に示すように、第２タッチセンサ３７には、開放領域ＯＰ、閉塞領域ＣＬに加えて、ラジオモード判別領域Ｍ１、テレビモード判別領域Ｍ２、ノーマルモード判別領域Ｍ３が設定されている。これにより、突起２３が各判別領域Ｍ１〜Ｍ３に位置していることが、第２タッチセンサ３７からの出力によって検出される。
【００８１】
なお、この変更例２の携帯電話機には、図５に示す上記実施の形態の構成に加え、ラジオ放送を受信して所定の信号処理を行うラジオモジュールとテレビ放送を受信して所定の信号処理を行うテレビモジュールが備えられている。
【００８２】
図１０は、変更例２に係る第２キャビネットの開閉に基づく入力設定処理を示すフローチャートである。以下、図１０に従って具体的な動作を説明する。なお、この入力設定処理も、上記実施の形態と同様、携帯電話機が稼働している間、常時繰り返される。
【００８３】
処理が開始されると、ＣＰＵ１００は、第２タッチセンサ３７による入力を有効状態にし（Ｓ３０１）、突起２３が移動したか否かを判定する（Ｓ３０２）。ＣＰＵ１００は、突起２３が移動したと判定すると（Ｓ３０２：ＹＥＳ）、突起２３が開放領域ＯＰに位置しているか否かを判定する（Ｓ３０３）。
【００８４】
第２キャビネット２が完全に開放されることにより、突起２３が開放領域ＯＰに位置していれば、ＣＰＵ１００は、突起２３が開放領域ＯＰに位置している判定し（Ｓ３０３：ＹＥＳ）、第１タッチセンサ３６による入力を有効状態に設定するとともに、テンキー３４による入力を無効状態に設定する（Ｓ３０４）。こうして、第１タッチセンサ３６を用いた手書き入力が行える状態となる。
【００８５】
一方、ステップＳ３０３において、ＣＰＵ１００は、突起２３が開放領域ＯＰに位置していないと判定すると（Ｓ３０３：ＮＯ）、次に、突起２３が閉塞領域ＣＬに位置しているか否かを判定する（Ｓ３０５）。ＣＰＵ１００は、突起２３が閉塞位置ＣＬに位置していないと判定すると（Ｓ３０５：ＮＯ）、第１タッチセンサ３６による入力を無効状態に設定する（Ｓ３０６）。
【００８６】
次に、ＣＰＵ１００は、第２タッチセンサ３７からの出力に基づいて、突起２３が各判別領域Ｍ１〜Ｍ３のどこに位置しているかを判定する。
【００８７】
ＣＰＵ１００は、突起２３がラジオモード判別領域Ｍ１に位置していると判定すると（Ｓ３０７：Ｍ１）、ラジオモードであると判別して（Ｓ３０８）、ラジオモード用のキー設定を行う（Ｓ３０９）。即ち、図９（ｃ）に示すように、ラジオモードで使用できる下２列の６個のテンキー３４の各々に、たとえば、「バンド切替え」、「チューニング」、「音量調整」等のラジオモードに必要な機能設定を行う。上記６個のテンキー３４以外のキーは、ラジオモードでは第２キャビネット２に覆われて使用されないので、無効状態（ＯＦＦ状態）に設定する。そして、ＣＰＵ１００は、機能設定したキーによる入力を有効状態（ＯＮ状態）に設定する（Ｓ３１４）。こうして、ユーザは、外部に開放された６個のテンキー３４を用いてラジオモードの入力操作を行うことにより、ラジオ放送を聴くことができる。
【００８８】
一方、ＣＰＵ１００は、ステップＳ３０７において、突起２３がテレビモード判別領域Ｍ２に位置していると判定すると（Ｓ３０７：Ｍ２）、テレビモードであると判別して（Ｓ３１０）、テレビモード用のキー設定を行う（Ｓ３１１）。即ち、図９（ｂ）に示すように、テレビモードで使用できる全てのテンキー３４の各々に、たとえば、「チャンネル切替え」、「音声切替え」、「音量調整」等のテレビモードに必要な機能設定を行う。テンキー３４以外のキーは、テレビモードでは第２キャビネット２に覆われて使用されないので、無効状態（ＯＦＦ状態）に設定する。そして、ＣＰＵ１００は、機能設定したキーによる入力を有効状態に設定する（Ｓ３１４）。こうして、ユーザは、外部に開放された全てのテンキー３４を用いてテレビモードの入力操作を行うことにより、テレビ放送を観ることができる。
【００８９】
さらに、ＣＰＵ１００は、ステップＳ３０７において、突起２３がノーマルモード判別領域Ｍ３に位置していると判定すると（Ｓ３０７：Ｍ３）、ノーマルモードであると判別して（Ｓ３１２）、ノーマルモード用のキー設定を行う（Ｓ３１３）。即ち、図９（ａ）に示すように、操作キー群３ａの全てのキーに、それらキー本来の機能設定（携帯電話機として使用される場合の機能設定）を行う。そして、ＣＰＵ１００は、操作キー群３ａの全てキーによる入力を有効状態に設定する（Ｓ３１４）。こうして、ユーザは、上記変更例１と同様、手書き入力操作に代えて、テンキー３４による入力操作が行えるようになる。
【００９０】
さて、第２キャビネット２が完全に閉じられると、ＣＰＵ１００は、Ｓ３０５において、突起２３が閉塞位置ＣＬにあると判定する。すると、ＣＰＵ１００は、第１タッチセンサ３６による入力を無効状態に設定するとともにテンキー３４による入力を無効状態に設定する（Ｓ３１５）。さらに、ＣＰＵ１００は、第３タッチセンサ２２上の複数の領域にソフトキー２４を割り当て、それぞれのソフトキー２４に所定の機能を設定する（Ｓ３１６）。そして、第３タッチセンサ２２による入力を有効状態に設定する。（Ｓ３１７）。第３タッチセンサ２２による入力が有効状態に設定された場合には、第３タッチセンサ２２からの位置信号がＣＰＵ１００によって受け付けられる状態となる。こうして、ユーザは、第３タッチセンサ２２のソフトキー２４によって入力操作を行うことができるようになる。
【００９１】
以上のように、変更例２の構成とすれば、第２キャビネット２の位置に応じて操作キー群３ａの各キーの機能が設定されるので、第２キャビネット２によって操作キー群３ａの一部のキーが隠された状態にあるときでも、外部に開放された一部のキーを有効に利用し、そのキーの個数に応じて設定された機能モード（ラジオモード、テレビモードなど）の入力操作を行うことができる。
【００９２】
さらに、変更例２の構成によれば、第２キャビネット２が完全に閉じて、第１タッチセンサ３６や操作キー群３ａによる入力操作が行えなくなっても、第３タッチセンサ２２を用いて入力操作が行えるので、ユーザの使い勝手が一層良くなる。
【００９３】
＜その他＞
本発明の実施形態は、上記以外に種々の変更が可能である。たとえば、上記実施の形態では、第１タッチセンサ３６と第２タッチセンサ３７が個々に設けられているが、これに限らず、第１タッチセンサ３６と第２タッチセンサ３７が一体化されても良い。この場合、たとえば、１つのセンサ面に第１タッチセンサ３６に相当する検出領域と第２タッチセンサ３７に相当する検出領域が設定されるような構成とすることができる。
【００９４】
また、上記実施の形態では、第１タッチセンサ３６、第２タッチセンサ３７、第３タッチセンサ２２が、全て静電式のタッチセンサとされているが、これらの一部あるいは全てを他の方式のタッチセンサ、たとえば、感圧式のタッチセンサとしても良い。
【００９５】
さらに、上記実施の形態では、第２キャビネット２の上面に触れられることで、第１タッチセンサ３６および第２タッチセンサ３７からの入力が受け付けられる構成とされているが、第１タッチセンサ３６および第２タッチセンサ３７の感度によっては、第２キャビネット２の上面からユーザの指や突起２３等がやや離れた状態でも入力が受け付けられる場合がある。なお、特許請求の範囲に記載された第１のタッチセンサおよび第２のタッチセンサは、このように、第２キャビネット２の上面(検出領域)から指等がやや離れた状態でも入力を受け付けるような構成を広く含むものである。
【００９６】
同様に、第３タッチセンサ２２についても、感度によっては、表示画面からユーザの指等がやや離れた状態でも入力が受け付けられる場合がある。
【００９７】
さらに、本発明の携帯端末装置は、携帯電話機に限られず、ＰＤＡ（Personal Digital Assistant）等であっても良い。
【００９８】
さらに、上記実施の形態では、第１タッチセンサ３６による入力を無効とする手法として、第１タッチセンサ３６からの位置信号をＣＰＵ１００が受け付けなくする手法をとっているが、これに限らず、第１タッチセンサ３６を停止状態とすることによって第１タッチセンサ３６から位置信号が出力されなくする手法をとることもできる。
【００９９】
さらに、上記変更例１の構成では、突起２３が開放領域ＯＰにあるときに、第１タッチセンサ３６による入力を有効状態に設定するとともに、テンキー３４による入力を無効状態に設定するようにしている。しかし、これに限らず、突起２３が開放領域ＯＰにあるときに、第１タッチセンサ３６による入力を有効状態に設定するとともに、テンキー３４による入力も有効状態に設定するようにしても良い。なお、この場合も、突起２３が開放領域ＯＰから外れれば、第１タッチセンサ３６による入力は無効状態に設定され、テンキー３４による入力のみ有効状態のままとされる。
【０１００】
この他、本発明の実施の形態は、特許請求の範囲に示された技術的思想の範囲内において、適宜、種々の変更が可能である。
【図面の簡単な説明】
【０１０１】
【図１】実施の形態に係る携帯電話機の外観構成を示す図
【図２】実施の形態に係るキー入力部の構成を示す図
【図３】実施の形態に係るキー入力部がアセンブルされた状態を示す図
【図４】実施の形態に係る第２キャビネットが開閉したときの突起と第２タッチセンサとの位置関係について説明するための図
【図５】実施の形態に係る携帯電話機の全体構成を示すブロック図
【図６】第の実施に係る第２キャビネットの開閉に基づく入力設定処理を示すフローチャート
【図７】実施の形態に係る第２キャビネットが完全に開放された状態で行われる手書き入力操作の一例を示す図
【図８】変更例１に係る第２キャビネットの開閉に基づく入力設定処理を示すフローチャート
【図９】変更例２に係る携帯電話機の使用形態を説明する図
【図１０】変更例２に係る第２キャビネットの開閉に基づく入力設定処理を示すフローチャート
【符号の説明】
【０１０２】
１      第１キャビネット（第１の筺体）
２      第２キャビネット（第２の筺体）
２１    液晶表示器（表示部）
２２    第３タッチセンサ（入力部）
２３    突起（突出部）
３４    テンキー（操作ボタン）
３６    第１タッチセンサ（第１のタッチセンサ）
３７    第２タッチセンサ（検出部、第２のタッチセンサ）
１００  ＣＰＵ（制御部）
【図１】
2010011085.tif 000003
【図２】
2010011085.tif 000004
【図３】
2010011085.tif 000005
【図４】
2010011085.tif 000006
【図５】
2010011085.tif 000007
【図６】
2010011085.tif 000008
【図７】
2010011085.tif 000009
【図８】
2010011085.tif 000010
【図９】
2010011085.tif 000011
【図１０】
2010011085.tif 000012